(57)【要約】【課題】配線が取り散らかりにくい遊技機を提供する。【解決手段】遊技機は、電子部品どうしを繋ぐ複数の配線７５と、この複数の配線７５が延在する方向に沿って設けられた一対のリブ６０，６０と、複数の配線７５を束ねる結束具７７とを備え、複数の配線７５は、一対のリブ６０，６０の間に通されているとともに、一対のリブ６０，６０の端部の外側において結束具７７によって束ねられているので、配線７５を取り散らかりにくくできる。【選択図】図４
2019069090.tif 000002
【特許請求の範囲】
【請求項１】
電子部品どうしを繋ぐ複数の配線と、この複数の配線が延在する方向に沿って設けられた一対のリブと、前記複数の配線を束ねる結束具とを備える遊技機であって、
前記複数の配線は、前記一対のリブの間に通されているとともに、前記一対のリブの端部の外側において前記結束具によって束ねられていることを特徴とする遊技機。
【請求項２】
前記結束具は、前記複数の配線を束ねた状態において、前記端部における前記一対のリブの間の間隔よりも大きくなっていることを特徴とする請求項１に記載の遊技機。
【発明の詳細な説明】
【技術分野】
【０００１】
本発明は、遊技機に関する。
【背景技術】
【０００２】
スロットマシンやパチンコ遊技機等の遊技機は、内部に複数の電子部品を備えており、これらの電子部品は、配線によって繋がれている。また、特許文献１には、配線が収納される樋を備える遊技機が記載されている。
【先行技術文献】
【特許文献】
【０００３】
【特許文献１】特開平１１−２３５４４９号公報
【発明の概要】
【発明が解決しようとする課題】
【０００４】
ところで、樋などに配線を収納するだけでは、配線が十分にまとまらず、取り散らかってしまうおそれがある。
【０００５】
本発明は、前記事情に鑑みてなされたもので、配線が取り散らかりにくい遊技機を提供することを目的とする。
【課題を解決するための手段】
【０００６】
前記目的を達成するために、本発明の遊技機は、電子部品どうしを繋ぐ複数の配線と、この複数の配線が延在する方向に沿って設けられた一対のリブと、前記複数の配線を束ねる結束具とを備える遊技機であって、前記複数の配線は、前記一対のリブの間に通されているとともに、前記一対のリブの端部の外側において前記結束具によって束ねられていることを特徴とする。
【０００７】
このような構成によれば、複数の配線は、結束具によって束ねられるので、複数の配線がバラバラになるのを防ぐことができる。また、複数の配線は、一対のリブの間に通されるので、配線が予期せぬ方向に散らかってしまうのを防ぐことができる。また、一対のリブは、複数の配線が延在する方向に延設されているので、複数の配線を無理に折り曲げたりすることなく、リブの間に容易に通すことができる。また、複数の配線が、一対のリブの端部の外側において結束具によって束ねられているので、配線が引っ張られた際等に結束具がリブの先端に引っかかり、配線が接続されている電子部品から配線が抜けてしまうのを防ぐことができる。すなわち、一対のリブは配線が延在する方向に沿って設けられているため、配線を折り曲げたりすることなく自然な形でリブの間に通すことができるが、これだけだと、配線が引っ張られた際等に、電子部品と配線との接続部に直接力が加わってしまうおそれがある。しかし、配線がリブの端部の外側において結束具に束ねられていることにより、配線が引っ張られた際等には、結束具がリブの端部に引っかかることで、電子部品と配線との接続部に直接力が加わってしまうのを防ぐことができる。
【０００８】
また、本発明の前記構成において、前記結束具は、前記複数の配線を束ねた状態において、前記端部における前記一対のリブの間の間隔よりも大きくなっていることが好ましい。
【０００９】
このような構成によれば、結束具が、配線を束ねた状態において、当該結束具が配置されている側の端部における一対のリブの間隔よりも大きくなっているので、配線の結束具に束ねられている部分が、当該端部における一対のリブの間の間隔よりも大きくなり、配線が引っ張られた際等に、結束具が確実にリブの当該端部に引っかかる。したがって、配線が引っ張られた際等に、電子部品と配線との接続部等に力が加わるのを確実に防ぐことができる。
【発明の効果】
【００１０】
本発明の遊技機によれば、配線を取り散らかりにくくできる。
【図面の簡単な説明】
【００１１】
【図１】本発明の実施の形態に係る遊技機の一例を示すもので、その斜視図である。
【図２】同、操作ユニットを示す分解斜視図である。
【図３】同、スイッチケースおよびスイッチを示す背面図である。
【図４】同、リブとこのリブに通された配線を示すもので後ろ側から見た斜視図である。
【図５】同、カバー部材を示すもので、前側から見た斜視図である。
【図６】同、操作ユニットを示す背面図である。
【図７】同、操作ユニットのリブ部分を示す断面斜視図である。
【発明を実施するための形態】
【００１２】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１３】
まず、発明が適用されるスロットマシンＸの概略構成について説明する。
図１はスロットマシンＸを示す斜視図である。このスロットマシンＸは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１４】
また、筐体１の正面には、筐体１の正面開口部を開閉可能に閉塞する前扉３が設けられている。
前記筐体１内には、図示は省略するが、リールユニットや基板ユニット等が設けられている。リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＸの遊技を制御するための遊技制御装置として機能する。
【００１５】
図１に示すように、前扉３の上部中央には、平板状のパネル４が設けられている。また、パネル４は、その中央部に形成された透明な表示窓５と、表示窓５を囲うように形成され、絵柄が描かれた（印刷された）意匠部６とを備えている。
【００１６】
表示窓５の奥には、前記３個の回転リールが横一列に設けられている。そして、表示窓５を通して回転リールの一部が視認可能となっている。各回転リールの外周面には複数種類の図柄が配列されており、回転リールが停止すると表示窓を通して１リール当たり３個の図柄が表示される。そして、３個の回転リールが停止したときに表示窓を通して表示される図柄の組み合わせによって当選役が入賞したか否かが表示される。
【００１７】
意匠部６の背面側には、照明用の光源（ＬＥＤ）が設けられており、この光源からの光によって意匠部６に描かれた絵柄が背後から照らされるようになっている。また、前扉３のパネル４の上部には、報知や演出などを行うための照明装置７が設けられている。また、前扉３の左右両端部には、報知や演出などを行うための照明装置８，８が設けられている。
【００１８】
また、前扉３は、筐体１にヒンジを介して回動可能に連結されることで、筐体１の開口部を開閉するようになっている。
なお、前扉３は、上側部分と下側部分とで分かれている等、複数の扉に分かれているものであってもよい。また、スロットマシンＸは、遊技店における機種の交換時に筐体１、前扉３の下側部分および筐体１内の電源ユニットやホッパーユニット等が遊技店の島設備に取り付けられたままで、前扉３の上側部分およびリールユニット等が交換可能ないわゆる分離型筐体タイプのものであってもよい。
【００１９】
また、前扉３の上下方向中央部には、スロットマシンＸを操作するための操作ユニット１０が設けられている。また、操作ユニット１０の右側部分には、メダルを投入するためのメダル投入口１１が設けられている。
【００２０】
また、前扉３の下端部には、スロットマシン内部よりメダルを排出するためのメダル払い出し口と、メダル払い出し口から排出されたメダルを溜めておくためのメダル受け皿１２とが形成されている。また、操作ユニット１０とメダル受け皿１２との間には遊技機の外観を装飾するための下パネル１５が設けられている。また、下パネル１５の背面側には、照明用の光源（ＬＥＤ）が設けられており、この光源からの光によって下パネル１５が背後から照らされるようになっている。
【００２１】
操作ユニット１０は、図２に示すように、クレジットされたメダルを払い出すための精算ボタン（スイッチ）２０、１枚のメダルをゲームに投資するときに操作される１ベットボタン（スイッチ）２１、３枚（最大数）のメダルをゲームに投資するときに操作されるＭＡＸベットボタン（スイッチ）２２、ゲームを開始させるためのスタートレバー（スイッチ）２３、回転リールの回転を停止させるための３つのストップボタン（スイッチ）２４、メダル投入口１１の下方のメダル通路内で発生したメダル詰まりを解消するリジェクトボタン２５等を備えている。また、操作ユニット１０は、各種スイッチ２０〜２４が設けられるスイッチケース（ベース部材）３０と、スイッチケース３０の背面側を覆うカバー部材３１とを備えている。
【００２２】
精算ボタン２０、１ベットボタン２１、ＭＡＸベットボタン２２、スタートレバー２３および３つのストップボタン２４の各種スイッチ２０〜２４は、遊技を制御するメイン制御基板（前述の基板ユニット）と電気的に接続されている。具体的には、図２〜図４に示すように、精算ボタン２０は配線７５が接続されるコネクタ４０を備えており、１ベットボタン２１は配線７５が接続されるコネクタ４１を備えており、ＭＡＸベットボタン２２は配線７５が接続される２つのコネクタ４２（第一コネクタ４２ａおよび第二コネクタ４２ｂ）を備えており、スタートレバー２３は配線７５が接続されるコネクタ４３を備えており、３つのストップボタン２４はそれぞれ配線７５が接続されるコネクタ４４を備えている。そして、スイッチ２０〜２４は、コネクタ４０〜４４に接続された配線７５が、メイン制御基板に接続されることで、メイン制御基板と電気的に繋がれている。すなわち、配線７５は、電子部品どうしを繋ぐものとなっている。なお、ここで、メイン制御基板とスイッチ２０〜２４とは、メイン制御基板とスイッチ２０〜２４との間に設けられた電子回路基板（中継基板）等を介して繋がれていてもよい。
また、これらのスイッチ２０〜２４は、スイッチ２０〜２４が操作された際等に、メイン制御基板に対して信号を送ることができるようになっている。そして、メイン制御基板は、精算ボタン２０、１ベットボタン２１、ＭＡＸベットボタン２２、スタートレバー２３、ストップボタン２４等の入力手段からの信号を受けて、遊技を実行するための各種の演算を行い、演算結果に基づいてリールユニットや、ホッパーユニット等の出力手段の制御を行う。
【００２３】
スイッチケース３０は、図３に示すように、上板３０ａ、下板３０ｂ、左右の側板３０ｃ，３０ｄおよび前板３０ｅを備え、後側が開口した略直方体箱状に形成されている。また、スイッチケース３０は、透光性を有しない黒色の合成樹脂により一体的に成形されている。また、上板３０ａの左部には、図２に示すように、精算ボタン２０が取り付けられる精算ボタン取付部５０と、１ベットボタン２１が取り付けられる１ベットボタン取付部５１と、ＭＡＸベットボタン２２が取り付けられるＭＡＸベットボタン取付部５２と、が設けられている。精算ボタン取付部５０と、１ベットボタン取付部５１と、ＭＡＸベットボタン取付部５２とは、円形の穴を有しており、精算ボタン２０、１ベットボタン２１またはＭＡＸベットボタン２２のボタン部分がスロットマシンＸの外部に露出し、精算ボタン２０、１ベットボタン２１またはＭＡＸベットボタン２２のコネクタ４０、４１、４２ａ、４２ｂ等がスイッチケース３０の内側に収納された状態で、精算ボタン２０、１ベットボタン２１およびＭＡＸベットボタン２２がスイッチケース３０に取り付けられている。
【００２４】
また、スイッチケース３０の前板３０ｅの左部には、スタートレバー２３が取り付けられるスタートレバー取付部５３が設けられている。また、スタートレバー取付部５３は、円形の穴を有しており、スタートレバー２３のレバー部分がスロットマシンＸの外部に露出し、スタートレバー２３のコネクタ４３等がスイッチケース３０の内側に収納された状態で、スタートレバー２３がスイッチケース３０に取り付けられている。
また、スイッチケース３０の前板３０ｅの中央部には、３つのストップボタン２４がそのボタン部分がスロットマシンＸの外部に露出し、コネクタ４４等がスイッチケース３０の内側に収納された状態で、左右に並べて設けられている。
【００２５】
前板３０ｅの背面の中央部には、図３に示すように、３つのストップボタン２４のコネクタ４４が、左右に並べて配置されている。また、コネクタ４４は、後方を向いた状態となっており、配線７５の一端部が後側から前側に向けて挿入されるようになっている。
【００２６】
また、上板３０ａの背面の左部には、精算ボタン２０、１ベットボタン２１およびＭＡＸベットボタン２２のコネクタ４０，４１，４２ａ，４２ｂが配置されている。すなわち、コネクタ４０，４１，４２ａ，４２ｂは、スイッチケース３０内側の左上部分に配置されている。また、精算ボタン２０のコネクタ４０、１ベットボタン２１のコネクタ４１およびＭＡＸベットボタン２２の第一コネクタ４２ａは、下方を向いた状態となっており、配線７５の一端部が下側から上側に向けて挿入されるようになっている。また、ＭＡＸベットボタン２２の第二コネクタ４２ｂは、右方を向いた状態となっており、配線７５の一端部が右側から左側に向けて挿入されるようになっている。
【００２７】
また、前板３０ｅの背面の左部の上下方向中央部には、スタートレバー２３のコネクタ４３が配置されている。すなわち、コネクタ４３は、スイッチケース３０内側の左側中央部に配置されている。また、スタートレバー２３のコネクタ４３は、右方を向いた状態となっており、配線７５の一端部が右側から左側に向けて挿入されるようになっている。
【００２８】
スイッチケース３０の前板３０ｅの背面には、一対のリブ６０，６０が設けられている。また、リブ６０，６０は、前板３０ｅの背面の上下方向中央部であって、３つのストップボタン２４（コネクタ４４）よりも左側かつ精算ボタン２０、１ベットボタン２１、ＭＡＸベットボタン２２およびスタートレバー２３（コネクタ４０〜４３）よりも右側に配置されている。換言すると、リブ６０，６０は、前板３０ｅの背面を左側の領域と真ん中の領域と右側の領域との三つの領域に等分した場合の左側の領域と真ん中の領域との間付近に設けられている。
また、リブ６０，６０は、後方に突出するとともに左右方向に延在している。換言すると、２つのリブ６０，６０は、上下に並べて設けられており、互いに平行に延びている。さらに換言すると、リブ６０，６０の左端部は、スタートレバー２３のコネクタ４３側を向いており、リブ６０，６０の右端部は、ストップボタン２４のコネクタ４４側（前板３０ｅの中央部側）を向いている。そして、一対のリブ６０，６０と前板３０ｅとによって、断面コ字状の溝６１が形成されている。
【００２９】
リブ６０，６０の後端面（突出方向先端の面）は、左側ほど前側に向かうように、前板３０ｅの板面方向に対して傾斜している。また、前板３０ｅの背面中央部は、後側に突出した形状となっており、リブ６０，６０の右端部部分は、前板３０ｅの当該突出した部分から後方に突出した状態となっている。また、リブ６０の、対となるリブ６０と逆側の面の左端部には、リブ６０に対して垂直にかつリブ６０の左端面に沿って延びる補強用のリブ６４が設けられている。換言すると、リブ６０の外面の左端部には、リブ６０と垂直な補強用のリブ６４が設けられている。すなわち、リブ６０の右端部は、後側に突出した形状となっている前板３０ｅの背面と一体的に形成されており、リブ６０の高さが低くなっているので、リブ６０の強度が高くなっている。一方、リブ６０の左端部は、リブ６０の高さが高くなっているが、リブ６０に対して垂直に延びる補強用のリブ６４によって補強されることによって、リブ６０の強度が高くなっている。
【００３０】
前板３０ｅの背面には、５つのボス７０が後方に突出して設けられている。また、ボス７０は、ネジ７１がねじ込まれるネジ孔を有している。そして、後述するカバー部材３１のネジ挿通孔９１ａ，９４ａ，９５ａ，９６ａ，９７ａに挿通されたネジ７１が当該ネジ孔にねじ込まれるようになっている。なお、図３、図４においては、カバー部材３１を図示していないが、実際には、ネジ７１の頭とスイッチケース３０との間にはカバー部材３１が介在している（図６参照）。
【００３１】
また、５つのボス７０のうちの一つ（ボス７０Ａ）は、一対のリブ６０，６０の下側に設けられている。また、ボス７０Ａは、下側のリブ６０に隣接して設けられている。換言すると、一対のリブ６０，６０は、ボス７０Ａの近傍に設けられている。また、このボス７０Ａは、リブ６０，６０よりも前板３０ｅの背面からの高さが低くなっている。
【００３２】
また、精算ボタン２０、１ベットボタン２１、ＭＡＸベットボタン２２およびスタートレバー２３のコネクタ４０，４１，４２ａ，４２ｂ，４３それぞれには、図４に示すように、複数の配線７５（黒い太線で図示）が接続されている。具体的には、各配線７５は、その一端部に、コネクタ４０，４１，４２ａ，４２ｂ，４３に接続するための図示しないコネクタを有しており、当該コネクタがコネクタ４０，４１，４２ａ，４２ｂ，４３に嵌着されている。また、コネクタ４０，４１，４２ａ，４２ｂまたはこれらのコネクタに接続された配線７５は、配線７５がコネクタ４０，４１，４２ａ，４２ｂから抜けないようにするための爪を有しており、当該爪によって配線７５がコネクタ４０，４１，４２ａ，４２ｂに対して係止されている。一方、スタートレバー２３のコネクタ４３およびこのコネクタに接続された配線７５は、配線７５がコネクタ４３から抜けないようにするための爪を有しておらず、配線７５がコネクタ４３に対して係止されていない。すなわち、コネクタ４０，４１，４２ａ，４２ｂに接続された配線７５は、配線７５を引っ張るだけでは配線７５がコネクタ４０，４１，４２ａ，４２ｂから抜けず、配線７５を係止するための爪を係止状態から解除しなければ配線７５が抜けないようになっているが、コネクタ４３に接続された配線７５は、配線７５のコネクタ４３への挿入方向に真っ直ぐな方向（右方向）に配線７５を引っ張るだけで、配線７５がコネクタ４３から抜けるようになっている。
なお、コネクタ４３またはこのコネクタに接続された配線７５は、配線７５を係止するための爪等の構造を備えていてもよく、コネクタ４０〜４２およびこれらのコネクタ４０〜４２に接続された配線７５は、配線７５を係止するための爪等の構造を備えていなくてもよい。
【００３３】
また、コネクタ４０，４１，４２ａ，４２ｂ，４３に繋がれた配線７５は、全て一対のリブ６０，６０の間を通過している。すなわち、リブ６０，６０によって形成された溝６１は、コネクタ４０，４１，４２ａ，４２ｂ，４３に繋がれた配線を全て通すことが可能な深さとなっている。
【００３４】
また、コネクタ４０，４１，４２ａ，４２ｂ，４３に繋がれた配線７５は、一対のリブ６０，６０の左端部の外側において、結束バンド（タイラップ（登録商標）等）等の結束具７７によって締め付けられて、一束にまとめられている。また、結束具７７は、配線７５を束ねた状態において、一対のリブ６０，６０の間の間隔よりも大きく（太く）なっている。すなわち、結束具７７は、リブ６０，６０の間を通すことが困難、または、不可能な大きさとなっている。換言すると、複数の配線７５は、結束具７７に束ねられており、この束ねられている部分が、リブ６０，６０の間の間隔よりも太くなっている。
なお、コネクタ４０，４１，４２ａ，４２ｂ，４３に繋がれた配線７５は、複数の束にまとめられていてもよく、一部の配線は、束ねられていなくてもよい。例えば、コネクタ４０，４１，４３に繋がれた配線７５が一つの結束具によって一束にまとめられており、これとは別に、コネクタ４２ａ，４２ｂに繋がれた配線７５が別の結束具によって一束にまとめられていてもよい。また、このような場合には、各束をまとめる結束具７７がそれぞれ一対のリブ６０，６０の間の間隔よりも大きくなっていることが好ましい。また、結束具７７は、例えば、布製のバンドや粘着テープのようなものであってもよい。
【００３５】
また、結束具７７は、リブ６０，６０の右側から配線７５が右側に引っ張られた際に、配線７５の、結束具７７と各コネクタ４０，４１，４２ａ，４２ｂ，４３との間の部分が張り切る前に、リブ６０，６０の左端部に当接するようになっている。すなわち、各コネクタ４０，４１，４２ａ，４２ｂ，４３に繋がれた各配線７５の、コネクタ４０，４１，４２ａ，４２ｂ，４３に繋がれている部分から結束具７７に締め付けられている部分までの長さは、各コネクタ４０，４１，４２ａ，４２ｂ，４３からリブ６０，６０の左端部までの直線距離よりも長くなっている。
【００３６】
カバー部材３１は、透明な合成樹脂により一体的に成形されている。また、カバー部材３１は、スイッチケース３０の開口した後側部分を覆う形状となっている。具体的には、カバー部材３１は、板状の背板８０を備え、この背板８０がスイッチケース３０に取り付けられた精算ボタン２０、１ベットボタン２１、ＭＡＸベットボタン２２、スタートレバー２３、ストップボタン２４のコネクタ４０〜４４や、配線７５の一部を後から覆うようになっている。
【００３７】
また、背板８０は、左側部分８０ａが、左右方向中央部分８０ｂおよび右側部分８０ｃに比べ後方に一段下がった形状となっている。また、背板８０の左側部分８０ａの左辺部および下辺部には、前方に突出する壁部８１，８１が設けられている。そして、背板８０の左側部分８０ａおよび壁部８１，８１に、精算ボタン２０、１ベットボタン２１、ＭＡＸベットボタン２２およびスタートレバー２３の、スイッチケース３０の内側に収納された部分が覆われた状態となっている。すなわち、カバー部材３１には、背板８０の左側部分８０ａが後方に下がることにより、精算ボタン２０、１ベットボタン２１、ＭＡＸベットボタン２２およびスタートレバー２３を収納するためのスペースが形成されている。
【００３８】
また、背板８０の左右方向中央部分８０ｂには、上縁部から下方に向けて切り欠くようにして、配線７５を通すための開口部８３が形成されている。また、開口部８３の左辺部には、開口部８３に通された配線７５を係止可能なフック８４が設けられている。そして、このフック８４に配線７５を引っ掛けて、配線７５の動きを規制したり、配線７５をまとめたりすることが可能になっている。
【００３９】
また、背板８０の左側部分８０ａと開口部８３との間、すなわち、カバー部材３１の、精算ボタン２０、１ベットボタン２１、ＭＡＸベットボタン２２およびスタートレバー２３を覆う部分と開口部８３との間には、前方に突出する略角錐台状の突出部（角錐台状突出部９０）と、略円錐台状の突出部（円錐台状突出部９１）とが上下に離間して設けられている。また、円錐台状突出部９１には、ネジを挿通させるためのネジ挿通孔９１ａが設けられている。また、背板８０の左側部分８０ａの上部および左端部にも、前方に突出する突出部９４，９５が設けられている。また、これらの突出部９４，９５には、ネジを挿通させるためのネジ挿通孔９４ａ，９５ａが設けられている。また、突出部９５は、壁部８１と一体的に設けられている。
また、背板８０の右側部分８０ｃにも、２つのネジ挿通孔９６ａ，９７ａが設けられている。
【００４０】
カバー部材３１の５つのネジ挿通孔９１ａ，９４ａ，９５ａ，９６ａ，９７ａは、それぞれスイッチケース３０の５つのボス７０それぞれに対向する位置に設けられている。そして、図６に示すように、各ネジ挿通孔９１ａ，９４ａ，９５ａ，９６ａ，９７ａに挿通されたネジ７１がボス７０のネジ孔にねじ込まれることにより、カバー部材３１がスイッチケース３０と一体化されている。
【００４１】
図７に示すように、カバー部材３１の角錐台状突出部９０の前端面は、スイッチケース３０の前板３０ｅの背面に近接している。また、カバー部材３１の円錐台状突出部９１の前端面は、スイッチケース３０のボス７０Ａの後端面に当接している。また、角錐台状突出部９０と円錐台状突出部９１とは、リブ６０，６０を挟んで上下に配置されている。また、角錐台状突出部９０の前端面および円錐台状突出部９１の前端面は、リブ６０，６０の後端面（突出方向先端の面）よりも前方に位置している。すなわち、一対のリブ６０，６０は、角錐台状突出部９０と円錐台状突出部９１との間を通過するように設けられている。
【００４２】
また、カバー部材３１の開口部８３は、真ん中のストップボタン２４と右側のストップボタン２４との間の後方に配置されている。そして、一方の端部が精算ボタン２０、１ベットボタン２１、ＭＡＸベットボタン２２、スタートレバー２３またはストップボタン２４に接続された配線７５は、開口部８３を通って、スイッチケース３０およびカバー部材３１の外側に出ており、他方の端部が前記メイン制御基板等に接続された状態となっている。
【００４３】
このような構成によれば、精算ボタン２０、１ベットボタン２１、ＭＡＸベットボタン２２またはスタートレバー２３に接続された複数の配線７５は、結束具７７によって束ねられるので、複数の配線７５がバラバラになるのを防ぐことができる。また、精算ボタン２０、１ベットボタン２１、ＭＡＸベットボタン２２またはスタートレバー２３に接続された複数の配線７５は、一対のリブ６０，６０の間に通されるので、配線７５が予期せぬ方向に散らかってしまうのを防ぐことができる。
【００４４】
また、一対のリブ６０，６０は、精算ボタン２０、１ベットボタン２１、ＭＡＸベットボタン２２またはスタートレバー２３に一方の端部が接続され開口部８３を通る配線７５が延在する方向に延設されているので、複数の配線７５を折り曲げたりすることなくリブ６０，６０の間に容易に通すことができる。また、複数の配線７５が、リブ６０、６０の左端部の外側において結束具７７によって束ねられているので、配線７５が引っ張られた際等に結束具７７がリブ６０，６０の先端に引っかかり、配線７５が接続されているスイッチ（電子部品）から配線が抜けてしまうのを防ぐことができる。すなわち、リブ６０，６０を配線７５が延在する方向に沿って設けられているため、配線７５を無理に折り曲げたりすることなく自然な形でリブ６０，６０の間に通すことができるが、これだけだと、配線７５が引っ張られた際等に、スイッチ２０〜２３と配線７５との接続部に直接力が加わってしまうおそれがある。しかし、配線７５がリブ６０，６０の端部の外側において結束具７７に束ねられていることにより、配線７５が引っ張られた際等には、結束具７７がリブ６０，６０の端部に引っかかることで、スイッチ２０〜２３と配線７５との接続部に直接力が加わってしまうのを防ぐことができる。
特に、スタートレバー２３に繋がれた配線７５は、スタートレバー２３のコネクタ４３に対して係止されていない上、スタートレバー２３のコネクタ４３はリブ６０，６０に対して、当該リブ６０，６０が延在する方向に配置されているので、従来のスロットマシンであれば、配線７５がリブ６０，６０の延在方向（右方向）に引っ張られるだけで容易にスタートレバー２３から外れてしまうおそれがある。しかし、本構成のスロットマシンＸにおいては、スタートレバー２３のコネクタ４３とリブ６０，６０との間に結束具７７が設けられているので、配線７５が引っ張られた際に、コネクタ４３に力が加わる前に結束具７７がリブ６０，６０に引っかかり、配線７５がコネクタ４３から抜けるのを防ぐことができる。
【００４５】
また、結束具７７は、配線７５を束ねた状態において一対のリブ６０，６０の間隔よりも大きくなっているので、配線７５が引っ張られた際等に、結束具７７が確実にリブ６０，６０に引っかかる。したがって、配線７５が引っ張られた際等に、スイッチ２０〜２３と配線７５との接続部等に力が加わるのを確実に防ぐことができる。よって、配線７５がスイッチ２０〜２３から抜け落ちたり、配線７５とスイッチ２０〜２３の接続部に過度の力が加わり当該接続部が壊れてしまうのを防ぐことができる。
【００４６】
また、リブ６０，６０は、カバー部材３１の角錐台状突出部９０と円錐台状突出部９１との間を通過するように設けられているので、配線７５をリブ６０，６０の間に通すことによって、角錐台状突出部９０や円錐台状突出部９１が配線７５に干渉するのを防ぐことができる。すなわち、例えば、リブ６０，６０が無い場合、スイッチケース３０にカバー部材３１を取り付ける際に、円錐台状突出部９１とボス７０とに配線７５が挟まれたり、角錐台状突出部９０と前板３０ｅとに配線７５が挟まれたりしてしまい、配線７５が傷ついてしまうおそれがある。しかし、本構成によれば、角錐台状突出部９０と円錐台状突出部９１との間を通過するリブ６０，６０の間を配線７５が通されるので、スイッチケース３０とカバー部材３１とに配線が挟まれるのを防ぐことができる。すなわち、スイッチケース３０とカバー部材３１とが当接または近接する部分等の、配線７５を挟み込んでしまうおそれがある部分の近傍に、配線７５を通すリブ６０，６０を設けることで、配線７５が挟み込まれるのを防ぐことができる。特に、本構成のように、カバー部材３１またはスイッチケース３０のうちの一方の部材に、他方の部材に向けて突出する複数の突出部（角錐台状突出部９０、円錐台状突出部９１）があり、この複数の突出部の間に配線７５を通す場合には、突出部どうしの間にリブ６０，６０を設け、この間に配線７５を通すことで、スイッチケース３０とカバー部材３１とに配線が挟み込まれる可能性を大幅に減らすことができる。
【００４７】
また、本構成のスロットマシンＸにおいては、リブ６０，６０の後端（突出方向先端）とカバー部材３１との間に隙間が設けられているので、リブ６０，６０の間に配線７５を通した後にスイッチケース３０にカバー部材３１を取り付ける際に、配線７５がリブ６０，６０の後端部に乗り上げてしまったとしても、リブ６０，６０とカバー部材３１とに配線が挟まれてしまうのを防ぐことができる。
【００４８】
なお、リブ６０，６０には、一方のリブ６０の後端部から他方のリブ６０側（溝側）に向けて突出する突出片が設けられており、この突出片によってリブ６０，６０の間に通された配線７５がリブ６０，６０の間から逸脱するのが抑制されていてもよい。また、当該突出片は、例えば板状や棒状であってもよく、配線が引っかかるような爪状等であってもよい。また、当該突出片は、両方のリブ６０に設けられていてもよく、いずれか一方のリブ６０にのみ設けられていてもよい。
【００４９】
また、本実施の形態において、リブ６０，６０は、左右方向に真っ直ぐ延在しているが（図３参照）、例えば、リブ６０，６０の右端部（図３における左側部分）が左端部よりも上方または下方に位置しており、左右方向に対して傾斜して延在するようになっていてもよい。換言すると、スタートレバー２３のコネクタ４３から配線７５が延出する方向（コネクタ４３の右方）に、リブ６０，６０の左端部が配置されているとともに、リブ６０，６０の左端部よりも右側であって上側または下側に、リブ６０，６０の右端部が配置されていてもよい。
【００５０】
また、リブ６０，６０は、互いに略平行に延びていなくてもよい。例えば、リブ６０，６０の左端部に比べて、リブ６０，６０の右端部の方が、リブ６０，６０の間の間隔が広がっていてもよい。すなわち、リブ６０，６０は、背面視においてハの字状に配置される等してもよい。換言すると、リブ６０，６０は、結束具７７が配置されている側の端部（一方の端部）における間隔が、配線７５を束ねた状態の結束具７７よりも小さくなっており、他方の端部における間隔が、前記一方の端部における間隔よりも大きくなっていてもよい。このような構成においても、リブ６０，６０の当該一方の端部に結束具７７が引っかかるようにすることができる。なお、この場合において、他方の端部におけるリブ６０，６０の間の間隔は、結束具７７よりも大きくなっていてもよい。
【００５１】
また、リブ６０，６０は、スイッチケース３０ではなくカバー部材３１に設けられていてもよい。ただし、スイッチケース３０にリブ６０，６０が設けられている場合、配線７５をリブ６０，６０の間に通した後にカバー部材３１をスイッチケース３０に取り付けることができ、リブ６０，６０の間に配線７５を通す作業とカバー部材３１を取り付ける作業とを同時に行う必要がないので、遊技機の組み立て作業を容易にすることができる。
【符号の説明】
【００５２】
２０  精算ボタン（スイッチ、電子部品）
２１  １ベットボタン（スイッチ、電子部品）
２２  ＭＡＸベットボタン（スイッチ、電子部品）
２３  スタートレバー（スイッチ、電子部品）
６０  リブ
７５  配線
７７  結束具
Ｘ  スロットマシン
【図１】
2019069090.tif 000003
【図２】
2019069090.tif 000004
【図３】
2019069090.tif 000005
【図４】
2019069090.tif 000006
【図５】
2019069090.tif 000007
【図６】
2019069090.tif 000008
【図７】
2019069090.tif 000009